(57)【要約】【課題】  素早い香気の立ち上がりを実現するとともに、火傷や火災のない安全性、香りの種類や香体の種類の交換及び香りの強弱の調整の容易性、複合した香りを容易に蒸散可能な柔軟性を実現し、香りのコントロールを安全、容易かつ極めて柔軟に行うことが可能なレーザー光による香気蒸散装置を提供することを目的とする。【解決手段】  レーザー発振器から発振されるレーザー光により香体を加熱し、香体に含まれる香り成分を蒸散させることで、素早い香気の立ち上がりを実現するとともに、火傷や火災のない安全性を実現した。また、レーザー発振器を２次元方向（Ｘ−Ｙ軸）の任意範囲を移動あるいは任意位置に移動する駆動手段と、該レーザー発振器から発振されるレーザー光を照射する香体を載置するトレイとから構成したことで、香りの種類や香体の種類の交換が容易で使い勝手の向上を実現した。【選択図】図１
2010155003.tif 000002
【特許請求の範囲】
【請求項１】
レーザー発振器から発振されるレーザー光により香体を加熱し、香体に含まれる香り成分を蒸散させることを特長とするレーザー光による香気蒸散装置。
【請求項２】
レーザー発振器と、該レーザー発振器を２次元方向（Ｘ−Ｙ軸）の任意範囲を移動あるいは任意位置に移動する駆動手段と、該レーザー発振器から発振されるレーザー光を照射する香体を載置するトレイとから構成したことを特長とする請求項１に記載のレーザー光による香気蒸散装置。
【請求項３】
レーザー発振器と、該レーザー発振器を２次元方向（Ｘ−Ｙ軸）の任意範囲を移動あるいは任意位置に移動する駆動手段と、該レーザー発振器から発振されるレーザー光を照射する香体のトレイとから構成し、レーザー発振器から発振されるレーザー光の、該トレイに載置された香体への照射出力、照射時間、照射位置、照射範囲、連続照射、パルス照射を組み合わせて制御する照射制御回路とから構成したことを特長とする請求項１乃至２に記載のレーザー光による香気蒸散装置。
【請求項４】
レーザー発振器と香体を載置するトレイは、各々単数であることを特長とする請求項１乃至３に記載のレーザー光による香気蒸散装置。
【請求項５】
レーザー発振器は単数、香体を載置するトレイは、複数であることを特長とする請求項１乃至４に記載のレーザー光による香気蒸散装置。
【請求項６】
レーザー発振器と香体を載置するトレイは、各々複数であることを特長とする請求項１乃至５に記載のレーザー光による香気蒸散装置。
【請求項７】
レーザー発振器は、半導体レーザー、固体レーザー、ガスレーザーの何れかであることを特長とする請求項１乃至６に記載のレーザー光による香気蒸散装置。
【発明の詳細な説明】
【技術分野】
【０００１】  本発明は、レーザー発振器から照射されるレーザー光を、薫香、練香、線香、アロマオイル、液体香料、ゲル香料などの香体に照射し加熱することで、香体に含まれる香り成分を空気中に蒸散させる装置に関する。
【背景技術】
【０００２】  従来、線香、薫香、練香、アロマオイル、液体芳香剤、ゲル状芳香剤などの香体は、そのままの状態で自然に香気を放散させたり、アルコールなどの揮発性成分を含有させ揮発性成分の揮発とともに香気を蒸散させたり、着火や加熱により香体に含まれる香り成分を放散させて用いられている。例えば、線香であれば先端に着火し燃焼に伴って発生する煙により香気を空気中に放散させる。また、薫香や練香であれば香炉を用いて熱した炭で間接的に加熱することで香気を空気中に放散させる。さらに、アロマオイルであれば電球やろうそくの熱を利用した簡易な器具を用いて間接的に加熱することで香気を空気中に放散させる。（特開２００１−３５２０６号公報参照（特許文献１））さらにまた、液体芳香剤であれば芳香液容器から芳香液が含浸した芯を突出させ、その周囲に設けた電熱ヒーターで間接的に加熱することで香気を空気中に放散させる。（実開平６−５０４７７号公報参照（特許文献２））【０００３】
【特許文献１】  特開２００１−３５２０６号公報
【特許文献２】  実開平６−５０４７７号公報
【発明の開示】
【発明が解決しようとする課題】
【０００４】  前記した線香では、一度着火させた場合は燃え尽きるまで放置することが通常の使用態様であり、燃え尽きる前に中断するような場合は、消火する必要があり手間が生じるとともに火傷の危険性がある。また、火気を使用することから火災の危険性もある。また、薫香や練香では、加熱用の炭に着火をする必要があるため相応の手間を有し、季節や環境による温度変化や、炭と薫香などとの微妙な間隔の設定により香りが変化することから一定の香りを放散するためには長年の経験が必要であるといった難しさがある。さらに、アロマオイルでは、電球やろうそくの熱で間接的に加熱するといった簡易な器具であるために、季節や環境による温度変化に対応して一定の温度で加熱することができず香気の強弱の調整を行うことが難しい。電球を使用した器具であればアロマオイルが加熱により蒸散したあとも電球が点灯し続け不経済であり、ろうそくを使用した器具であれば、線香と同様に火傷や火災の危険性を否めない。さらにまた、液体芳香剤では、芳香液が含浸した芯を電熱ヒーターで間接的に加熱するので火気を使わず安全性が高いが、前記アロマオイル同様に季節や環境による温度変化に対応して一定の温度で加熱することができず所望の強弱レベルの香りを得ることが難しい。【０００５】  以上説明した先行技術においては共通していずれも単一の香りを蒸散するものであるので、その香りだけ蒸散させるのであれば良いが、途中で違う香りにしたり毎回違う香りにする場合は、香体そのものを交換するか、複数の香炉や器具を用意して交換して使用する必要があり、煩雑さや複数の器具を用意するといったコスト的な課題を有する。また、同時に複数の香りを蒸散させて複合された香りを楽しむ場合でも、複数の器具を用意する必要があり、煩雑さやコスト的な課題を有するものである。さらに香体を加熱するような場合は、香体から香気が立ち上がるまでタイムラグが生じるため直ぐに香気を楽しみたい場合には不都合である。【０００６】  そこで本発明は、上記した課題を考慮し、素早い香気の立ち上がりを実現するとともに、火傷や火災のない安全性、香りの種類や香体の種類の交換及び香りの強弱の調整の容易性、複合した香りを容易に蒸散可能な柔軟性を実現し、香りのコントロールを安全、容易かつ極めて柔軟に行うことが可能なレーザー光による香気蒸散装置を提供することを目的とする。
【課題を解決するための手段】
【０００７】  レーザー発振器から発振されるレーザー光により香体を加熱し、香体に含まれる香り成分を蒸散させることで解決される。【０００８】  レーザー発振器と、該レーザー発振器を２次元方向（Ｘ−Ｙ軸）の任意範囲を移動あるいは任意位置に移動する駆動手段と、該レーザー発振器から発振されるレーザー光を照射する香体を載置するトレイとから構成したことで解決される。【０００９】  レーザー発振器と、該レーザー発振器を２次元方向（Ｘ−Ｙ軸）の任意範囲を移動あるいは任意位置に移動する駆動手段と、該レーザー発振器から発振されるレーザー光を照射する香体のトレイとから構成し、レーザー発振器から発振されるレーザー光の、該トレイに載置された香体への照射出力、照射時間、照射位置、照射範囲、連続照射、パルス照射を組み合わせて制御する照射制御回路とから構成したことで解決される。【００１０】  前記レーザー発振器と香体を載置するトレイは、各々単数であることで解決される。【００１１】  前記レーザー発振器は単数、香体を載置するトレイは、複数であることで解決される。【００１２】  前記レーザー発振器と香体を載置するトレイは、各々複数であることで解決される。【００１３】  レーザー発振器は、半導体レーザー、固体レーザー、ガスレーザーの何れかであることで解決される。
【発明の効果】
【００１４】  レーザー発振器から発振されるレーザー光により香体を加熱し、香体に含まれる香り成分を蒸散させることで、素早い香気の立ち上がりを実現するとともに、火傷や火災のない安全性を実現した。また、レーザー発振器を２次元方向（Ｘ−Ｙ軸）の任意範囲を移動あるいは任意位置に移動する駆動手段と、該レーザー発振器から発振されるレーザー光を照射する香体を載置するトレイとから構成したことで、香りの種類や香体の種類の交換が容易で使い勝手の向上を実現した。さらに、レーザー光の香体への照射出力、照射時間、照射位置、照射範囲、連続照射、パルス照射を組み合わせて制御する照射制御回路を設けたので、最も効率よく適切な香りを蒸散させることを可能とし、香りや香体の種類の交換、香りの強弱の調整など香りのコントロールを容易にかつ極めて柔軟に行うことを実現した。さらにまた、レーザー発振器を単数とし香体を載置するトレイを複数、あるいは各々複数でとしたので、香りの種類や香体の種類の交換、香りの強弱の調整の容易性、複合した香りを容易に蒸散可能な柔軟性を実現した香りのコントロールを容易にかつ極めて柔軟に行うことが可能なレーザー光による香気蒸散装置を提供することを可能とした。さらにまた、レーザー発振器は、安価で小型な半導体レーザー、高出力なＹＡＧレーザーなどの固体レーザーや炭酸ガスレーザーなどのガスレーザーとしたので、容易に装置の設置場所やその環境に応じた香気蒸散装置を提供することを可能とした。
【発明を実施するための最良の形態】
【００１５】  本発明の第１の実施例について、図面を参照して詳細に説明する。なお、以下説明においてレーザー発振器は、安価で小型な半導体レーザーを使用しているものとして説明する。図１は、本発明のレーザー光による香気蒸散装置の本体（１）の正面図、図２は平面図で内部の構成を示したものである。本体（１）の内部は、レーザー発振器（２ａ）、駆動手段（２ｂ）、照射制御回路（２ｃ）、トレイ（３）から構成される。レーザー発振器（２ａ）は、レーザーダイオードを複数積層し両端に電極を設けて発振されたレーザー光を、光学レンズ系を介して被照射物を加熱する。駆動手段（２ｂ）は、図示しないが外部から供給あるいは内部に備えられた電源から供給された電力で駆動されるモーターと、該モーターの回転を受けて駆動されるギアなどから構成され、レーザー発振器（２ａ）を２次元すなわちＸ−Ｙ軸方向に移動する。照射制御回路（２ｃ）は、前記レーザー発振器（２ａ）から照射されるレーザー光と前記駆動手段（２ｂ）のＸ−Ｙ軸方向の移動動作を制御し、被照射物へのレーザー光の照射出力、照射時間、連続照射、パルス照射と、照射位置、照射範囲をコントロールする。トレイ（３）は香体（４）を載置あるいは注入するもので、前記照射制御回路（２ｃ）でコントロールされたレーザー光の照射位置に相応した所定の位置を凹状として備えた。香体（４）は、加熱することで香気を蒸散するものであれば特に限定するものではないが、個体であれば薫香、練香、線香、香木、半個体であればゲル状の芳香剤、液体であればアロマオイル、液体芳香剤などがあげられ、前記トレイ（３）の凹みに固体や半個体であれば載置し、液体であれば溢れない程度に注ぎ込めば良い。【００１６】  以上のように構成したことで、レーザー発振器（２ａ）から発振されるレーザー光を香体（４）に照射して加熱しすることで、素早い香気の立ち上がりで香体に含まれる香り成分を蒸散させることで、手軽に香りを楽しむことができ、かつ火傷や火災の危険のない安全で利便性の高いレーザー光による香気蒸散装置を実現した。なお、蒸散した香気は、図示しないが本体（１）に開口部を適宜設けそこから排出される。【００１７】  本発明の第２の実施例について詳細に説明する。本実施例においては、レーザー発振器（２ａ）と、該レーザー発振器（２ａ）を２次元方向（Ｘ−Ｙ軸）の任意範囲を移動あるいは任意位置に移動する駆動手段（２ｂ）と、該レーザー発振器（２ａ）から発振されるレーザー光を照射する香体（４）を載置するトレイ（３）とから構成した。これにより、図２に示す横長形状のトレイ（３ａ）の凹みに、線または棒状の薫香、練香、線香の香体（４）を載置した場合、レーザー発振器（２ａ）は、駆動手段（２ｂ）によって線または棒状の香体（４）の端部から逆側端部に添ってＸ軸方向にレーザー光を照射加熱し、香体に含まれる香り成分を蒸散させる。また、図２に示す円形状のトレイ（３ｂ）の凹みに、タブレット状に形成した薫香、練香、線香などを載置、あるいは液体のアロマオイルを注ぎ込めば、前記同様にレーザー発振器（２ａ）は、駆動手段（２ｂ）によって香体（４）が載置あるいは注ぎ込まれたトレイ（３ｂ）に移動してレーザー光を照射加熱し、香体に含まれる香り成分を蒸散させる。【００１８】  以上のように構成したことで、香りの種類や香体の種類の交換が極めて容易で、手軽に香りを楽しむことができ、かつ素早い香気の立ち上がりで火傷や火災の危険のない安全で利便性の高いレーザー光による香気蒸散装置を実現した。【００１９】  本発明の第３の実施例について詳細に説明する。本実施例においては、レーザー発振器（２ａ）と、該レーザー発振器（２ａ）を２次元方向（Ｘ−Ｙ軸）の任意範囲を移動あるいは任意位置に移動する駆動手段（２ｂ）と、該レーザー発振器（２ａ）から発振されるレーザー光を照射する香体（４）のトレイ（３）とから構成し、レーザー発振器（２ａ）から発振されるレーザー光の、該トレイ（３）に載置された香体（４）への照射出力、照射時間、照射位置、照射範囲、連続照射、パルス照射の組み合わせを制御する照射制御回路（２ｃ）とから構成した。これにより、本体（１）に備えた照射パターン選択スイッチ（２ｅ）を押すことで、トレイ（３）に載置された香体（４）へのレーザー光の照射は、照射制御回路（２ｃ）のより照射出力、照射時間、照射位置、照射範囲、連続照射、パルス照射を香体（４）の特性に応じて設定することによって、最も効率よく適切な香りを蒸散させることを可能とし、香りや香体の種類の交換、香りの強弱の調整など香りのコントロールを容易にかつ極めて柔軟に行うことを実現した。なお、照射パターンの設定は、照射パターン選択スイッチ（２ｅ）に予め設定しておいても良いし、後で使用者の好みに合わせて設定できるようにしても良い。【００２０】  本発明の第４の実施例について詳細に説明する。本実施例においては、前記レーザー発振器（２ａ）と香体を載置あるいは注ぐトレイ（３）を各々単数、すなわち一つずつとして構成した。これにより、機器構成が簡素化されることでコスト低減を計り、単一の香りだけを楽しみたいという要望に応えることを可能とし、素早い香気の立ち上がりと火傷や火災の危険のない安全で利便性の高いレーザー光による香気蒸散装置を実現した。【００２１】  本発明の第５の実施例について詳細に説明する。本実施例においては、前記レーザー発振器（２ａ）を単数、香体（４）を載置するトレイ（３）を複数備えて構成した。これにより、複数のトレイ（３）に様々な香りや種類の香体（４）を載置あるいは注ぐことが可能となり、天候や気温、季節などの環境や気分に応じて手軽に多種類の香りを楽しむことを可能とした。また、同じ香りの香体（４）を入れた場合は、香体（４）の交換の手間が低減されさらなる利便性を実現した。【００２２】  本発明の第６の実施例について詳細に説明する。本実施例においては、前記レーザー発振器（２ａ）と香体（４）を載置するトレイ（３）を各々複数備えて構成した。これにより、複数のレーザー発振器（２ａ）で、それぞれ異なるトレイ（３）の異なる香りの香体（４）にレーザー光を照射加熱することで、複合した香りを蒸散することが可能となり、香りをさらに楽しむことを実現した。【００２３】  本発明の第７の実施例について詳細に説明する。本実施例においては、前記レーザー発振器（２ａ）は、半導体レーザー、固体レーザー、ガスレーザーの何れかとした。半導体レーザーは、前記で説明したとおりレーザーダイオードを複数積層し両端に電極を設けて発振されたレーザー光を、光学レンズ系を介して被照射物を加熱するもので安価で小型であることを特徴とする。このため家庭や小規模事務所などで香りを楽しむには極めて低コストでコンパクトな装置とすることが可能となる。また、ＹＡＧ結晶中のイットリウムを他の希土類元素で置換したＹＡＧレーザーをはじめとする固体レーザーや、炭酸ガスレーザーをはじめとするガスレーザーは高出力化が容易に可能であるため、比較的多量の香体（４）を加熱するのに好適である。このため容積の大きな大規模施設などで香りを放出する場合には好適な装置を提供することが可能となる。【００２４】  なお図示しないが本発明においては、レーザー光を利用することから本体（１）の内部に光学系のミラー、レンズ、プリズムなどを用いるとともに、本体（１）の外装ケース全体や一部を透光可能に透明あるいは半透明に形成することで、動作状態を表示可能にするとともに、イルミネーション的な効果を得ることも可能である。
【図面の簡単な説明】
【００２５】
【図１】本発明の内部の構成を示す正面図である。
【図２】本発明の内部の構成を示す平面図ある。
【符号の説明】
【００２６】１              本体
２ａ            レーザー発振器
２ｂ            駆動手段
２ｃ            照射制御回路
２ｄ            電源スイッチ
２ｅ            照射パターン選択スイッチ
３、３ａ、３ｂ  トレイ
４              香体
【図１】
2010155003.tif 000003
【図２】
2010155003.tif 000004